(57)【要約】【課題】煩雑な操作を不要としつつ、意図通りにパソコンを起動または停止させ得る表示制御装置を提供する。【解決手段】外部装置としてのパソコン４を操作可能な操作スイッチを有するリモコン２と、画像信号Ｓ９ａ等に基づく画像を表示部１１に表示させる制御部（表示制御部１３、主制御部１７）とを備え、制御部は、パソコン４を起動させる起動操作信号（赤外線信号Ｓ３）がリモコン２から出力されたとき（対応する制御信号Ｓ４が受信部１４から出力されたとき）に起動制御信号（制御信号Ｓ６）を出力することで、起動を指示する制御信号Ｓ８を受信装置３からパソコン４に出力させると共に、パソコン４を停止させる停止操作信号（赤外線信号Ｓ３）がリモコン２から出力されたとき（対応する制御信号Ｓ４が受信部１４から出力されたとき）に停止制御信号（制御信号Ｓ６）を出力することで、停止を指示する制御信号Ｓ８を受信装置３からパソコン４に出力させる。【選択図】図１
2008065218.tif 000002
【特許請求の範囲】
【請求項１】
外部装置としてのパーソナルコンピュータを操作可能な操作スイッチを有する操作部と、画像信号に基づく画像を表示部に表示させる制御部とを備え、
前記制御部は、前記パーソナルコンピュータを起動させる起動操作信号が前記操作部から出力されたときに当該パーソナルコンピュータに向けて起動制御信号を出力すると共に当該パーソナルコンピュータを停止させる停止操作信号が当該操作部から出力されたときに当該パーソナルコンピュータに向けて停止制御信号を出力する表示制御装置。
【請求項２】
前記制御部は、前記パーソナルコンピュータ用のキーボードから出力されるキー操作信号と同種の制御信号を前記起動制御信号および前記停止制御信号として出力する請求項１記載の表示制御装置。
【請求項３】
前記制御部は、前記操作部から前記起動操作信号が出力されたときに前記パーソナルコンピュータから出力された前記画像信号に基づく前記画像を前記表示部に表示させる請求項１または２記載の表示制御装置。
【請求項４】
前記パーソナルコンピュータを起動させるためのユーザー名情報およびパスワード情報を記憶する記憶部を備え、
前記制御部は、前記操作部から前記起動操作信号が出力されたときに、前記記憶部から読み出した前記ユーザー名情報および前記パスワード情報を前記起動制御信号に続いて前記パーソナルコンピュータに向けて出力する請求項１から３のいずれかに記載の表示制御装置。
【請求項５】
前記制御部は、当該表示制御装置の動作条件を設定する設定画面を前記表示部に表示させる設定画面表示操作信号が前記操作部から出力されたときに、設定画面用パスワードの入力画面を当該表示部に表示させると共に、予め規定された当該設定画面用パスワードが前記操作部のスイッチ操作によって入力されたときに、当該入力画面に代えて前記設定画面を前記表示部に表示させ、当該操作部のスイッチ操作によって当該設定画面に入力されたユーザー名およびパスワードに基づいて前記ユーザー名情報および前記パスワード情報を生成して前記記憶部に記憶させる請求項４記載の表示制御装置。
【請求項６】
前記操作部は、当該表示制御装置の本体部とは別体に構成された遠隔操作装置で構成されている請求項１から５のいずれかに記載の表示制御装置。
【請求項７】
請求項１から６のいずれかに記載の表示制御装置と、前記画像信号を出力するチューナと、前記表示部とを備えているテレビ。
【請求項８】
パーソナルコンピュータを起動させる起動操作信号が当該パーソナルコンピュータとは別体に構成された表示制御装置の操作部から出力されたときに当該表示制御装置から当該パーソナルコンピュータに向けて起動制御信号を出力して当該パーソナルコンピュータを起動させると共に当該パーソナルコンピュータを停止させる停止操作信号が当該操作部から出力されたときに当該表示制御装置から当該パーソナルコンピュータに向けて停止制御信号を出力して当該パーソナルコンピュータを停止させるパーソナルコンピュータ制御方法。
【発明の詳細な説明】
【技術分野】
【０００１】
本発明は、パーソナルコンピュータから出力された画像信号等に基づく画像を表示部に表示させる表示制御装置、その画像表示装置とチューナと表示部とを備えたテレビ、並びに、パーソナルコンピュータの起動および停止を制御するパーソナルコンピュータ制御方法に関するものである。
【背景技術】
【０００２】
インターネットの普及に伴い、パーソナルコンピュータ（以下、「パソコン」ともいう）によってインターネットを介してダウンロードした画像をテレビに表示させて視聴するといった使用形態が一般化している。この場合、ダウンロードした画像の表示に際しては、パソコンおよびテレビの双方を起動させる必要がある。具体的には、パソコンの電源スイッチを操作してパソコンを起動させると共に、テレビ用のリモートコントローラ（以下、「リモコン」ともいう）を操作してテレビを起動させる。次いで、パソコンによって再生された画像（パソコンから出力された画像信号に基づく画像）が表示部に表示されるようにリモコンを操作してテレビの入力ソースを切り替える。このように、ダウンロードした画像をテレビの表示部に表示させるまでには、煩雑な操作が必要となっている。
【０００３】
一方、特開平１１−１５５９０号公報には、テレビ用のリモコンによってパソコン（パソコン本体）を操作可能なパソコンシステムが開示されている。このパソコンシステムでは、テレビ（テレビ受信機）の付属品であるリモコンの電源スイッチが操作されたときに、リモコンから出力されたコード信号を受信したテレビが起動すると共に、パソコンに接続されたリモコン操作解読部がリモコンから出力されたコード信号を受信してパソコンを起動させる。これにより、リモコンの電源スイッチを１回操作するだけで、テレビおよびパソコンの双方を起動させることができる。また、リモコンの電源スイッチが再び操作されたときには、コード信号を受信したテレビが停止すると共に、リモコン操作解読部がパソコンを停止させる。これにより、リモコンの電源スイッチを再び１回操作するだけで、テレビおよびパソコンの双方の動作を停止させることができる。
【特許文献１】特開平１１−１５５９０号公報（第３−５頁、第１−９図）
【発明の開示】
【発明が解決しようとする課題】
【０００４】
ところが、従来のパソコンシステムには、以下の問題点がある。すなわち、従来のパソコンシステムでは、テレビの付属品であるリモコンの操作によってテレビおよびパソコンの双方を起動または停止させる構成が採用されている。したがって、従来のパソコンシステムでは、例えば、テレビに接続されているディスクプレーヤによって光ディスクを再生してテレビに画像を表示させる際に、ディスクプレーヤの付属品であるリモコンを操作してテレビを起動させたときには、テレビのみならず、光ディスクの再生には不要なパソコンまでもが起動してしまう。このように、テレビ用のリモコンでテレビおよびパソコンの双方を操作可能に構成されている従来のパソコンシステムには、利用者の意図に反してパソコンが誤って起動することがあるという問題点が存在する。
【０００５】
本発明は、かかる問題点に鑑みてなされたものであり、煩雑な操作を不要としつつ、意図通りにパソコンを起動または停止させ得る表示制御装置、テレビおよびパーソナルコンピュータ制御方法を提供することを主目的とする。
【課題を解決するための手段】
【０００６】
上記目的を達成すべく本発明に係る表示制御装置は、外部装置としてのパーソナルコンピュータを操作可能な操作スイッチを有する操作部と、画像信号に基づく画像を表示部に表示させる制御部とを備え、前記制御部が、前記パーソナルコンピュータを起動させる起動操作信号が前記操作部から出力されたときに当該パーソナルコンピュータに向けて起動制御信号を出力すると共に当該パーソナルコンピュータを停止させる停止操作信号が当該操作部から出力されたときに当該パーソナルコンピュータに向けて停止制御信号を出力する。
【０００７】
なお、本明細書における「パーソナルコンピュータの起動」には、電源遮断状態のパーソナルコンピュータに電源を投入する「ブート処理」や「ハイバーネート状態からの復帰処理」のみならず、電源投入状態で所定のデバイスのみが動作を停止しているパーソナルコンピュータを復帰させる「スタンバイ状態（スリープ状態、サスペンド状態、レジューム状態）からの復帰処理」がこれに含まれる。また、本明細書における「パーソナルコンピュータの停止」には、パーソナルコンピュータの電源を遮断する「シャットダウン処理」や「ハイバーネート状態への移行処理」のみならず、電源投入状態で所定のデバイスのみの動作を停止させる「スタンバイ状態への移行処理」がこれに含まれる。
【０００８】
また、本発明に係るテレビは、上記の表示制御装置と、前記画像信号を出力するチューナと、前記表示部とを備えている。
【０００９】
また、本発明に係るパーソナルコンピュータ制御方法は、パーソナルコンピュータを起動させる起動操作信号が当該パーソナルコンピュータとは別体に構成された表示制御装置の操作部から出力されたときに当該表示制御装置から当該パーソナルコンピュータに向けて起動制御信号を出力して当該パーソナルコンピュータを起動させると共に当該パーソナルコンピュータを停止させる停止操作信号が当該操作部から出力されたときに当該表示制御装置から当該パーソナルコンピュータに向けて停止制御信号を出力して当該パーソナルコンピュータを停止させる。
【００１０】
この表示制御装置、テレビおよびパーソナルコンピュータ制御方法によれば、外部装置としてのパーソナルコンピュータを起動させる起動操作信号が操作部から出力されたときに制御部がパーソナルコンピュータに向けて起動制御信号を出力すると共にパーソナルコンピュータを停止させる停止操作信号が操作部から出力されたときに制御部がパーソナルコンピュータに向けて停止制御信号を出力することにより、操作部におけるコンピュータ電源操作用の操作スイッチの操作によってパーソナルコンピュータを確実かつ容易に起動または停止させることができると共に、例えば、表示制御装置に接続されたディスクプレーヤの付属品であるリモコンを操作して表示制御装置を起動させたときには、パーソナルコンピュータを起動させることなく、表示制御装置のみを起動させることができる。したがって、利用者の意図に反してパーソナルコンピュータが起動または停止する事態を招くことなく、表示制御装置やパーソナルコンピュータを使用することができる。
【００１１】
また、本発明に係る表示制御装置は、前記制御部が、前記パーソナルコンピュータ用のキーボードから出力されるキー操作信号と同種の制御信号を前記起動制御信号および前記停止制御信号として出力する。なお、本明細書における「キー操作信号と同種の制御信号」とは、キーボードにおける各操作キーの操作時にキーボードから出力される各種のキー操作信号とコード体系が等しい制御信号、すなわち、信号種別が等しい信号を意味する。
【００１２】
この表示制御装置によれば、パーソナルコンピュータ用のキーボードから出力されるキー操作信号と同種の制御信号を制御部が起動制御信号および停止制御信号として出力することにより、一般的なパーソナルコンピュータが備えているキーボード接続端子からパーソナルコンピュータに制御信号を入力することができるため、市場に流通する汎用のパーソナルコンピュータについても、電源操作用の特殊なデバイスを追加することなく、表示制御装置の操作部によって操作することができる。
【００１３】
さらに、本発明に係る表示制御装置は、前記制御部が、前記操作部から前記起動操作信号が出力されたときに前記パーソナルコンピュータから出力された前記画像信号に基づく前記画像を前記表示部に表示させる。
【００１４】
この表示制御装置によれば、操作部から起動操作信号が出力されたときに制御部がパーソナルコンピュータから出力された画像信号に基づく画像を表示部に表示させることにより、表示画面の切り替え操作を行うことなく、操作部のパソコン電源操作用の操作スイッチを操作するだけでコンピュータの画像を表示部に表示させることができる。したがって、表示画面の切り替え操作が不要となる分だけ、従来のパソコンシステムと比較してパーソナルコンピュータに対する電源オンオフ時における一連の制御を容易に行うことができる。
【００１５】
また、本発明に係る表示制御装置は、前記パーソナルコンピュータを起動させるためのユーザー名情報およびパスワード情報を記憶する記憶部を備え、前記制御部が、前記操作部から前記起動操作信号が出力されたときに、前記記憶部から読み出した前記ユーザー名情報および前記パスワード情報を前記起動制御信号に続いて前記パーソナルコンピュータに向けて出力する。
【００１６】
この表示制御装置によれば、操作部から起動操作信号が出力されたときに制御部が起動制御信号の出力に続いて記憶部から読み出したユーザー名情報およびパスワード情報をパーソナルコンピュータに向けて出力することにより、表示制御装置の操作部とは別個にパーソナルコンピュータのキーボードを操作してユーザー名およびパスワードを入力することなく、パーソナルコンピュータを容易に起動させることができる。
【００１７】
さらに、本発明に係る表示制御装置は、前記制御部が、当該表示制御装置の動作条件を設定する設定画面を前記表示部に表示させる設定画面表示操作信号が前記操作部から出力されたときに、設定画面用パスワードの入力画面を当該表示部に表示させると共に、予め規定された当該設定画面用パスワードが前記操作部のスイッチ操作によって入力されたときに、当該入力画面に代えて前記設定画面を前記表示部に表示させ、当該操作部のスイッチ操作によって当該設定画面に入力されたユーザー名およびパスワードに基づいて前記ユーザー名情報および前記パスワード情報を生成して前記記憶部に記憶させる。
【００１８】
この表示制御装置によれば、設定画面表示操作信号が操作部から出力されたときに制御部が設定画面用パスワードの入力画面を表示部に表示させると共に、予め規定された設定画面用パスワードが入力されたときに入力画面に代えて設定画面を表示部に表示させ、操作部のスイッチ操作によって設定画面に入力されたユーザー名およびパスワードに基づいてユーザー名情報およびパスワード情報を生成して記憶部に記憶させることにより、設定画面用パスワードを知らない第三者が動作条件設定用の画面を開くことができないため、設定画面用パスワードを知らない第三者によってログオン情報（パーソナルコンピュータを起動させるためのユーザー名およびパスワード）が他の情報に書き換えられたり盗用されたりする事態を回避することができる。
【００１９】
また、本発明に係る表示制御装置は、前記操作部が、当該表示制御装置の本体部とは別体に構成された遠隔操作装置で構成されている。
【００２０】
この表示制御装置によれば、表示制御装置の本体部とは別体に構成された遠隔操作装置で操作部を構成したことにより、表示制御装置やパーソナルコンピュータから遠く離れてパーソナルコンピュータを操作することができる。
【発明を実施するための最良の形態】
【００２１】
以下、本発明に係る表示制御装置、テレビおよびパーソナルコンピュータ制御方法の最良の形態について、添付図面を参照して説明する。図１に示すテレビ１は、本発明に係るパーソナルコンピュータ制御方法に従って外部装置としてのパーソナルコンピュータ（以下、「パソコン」ともいう）４を制御する表示制御装置と、本発明におけるチューナおよび表示部とを一体的に構成したリアプロジェクション型のテレビであって、本体部１ａ、リモコン２および受信装置３を備えて構成されている。この場合、パソコン４は、オペレーティングシステムや各種のアプリケーションソフトがインストールされた汎用のコンピュータであって、表示制御部（ビデオドライバ）３１、主制御部（ＣＰＵ）３２および図示しないハードディスクドライブ等を備えて構成されている。
【００２２】
本体部１ａは、表示部１１、チューナ１２、表示制御部１３、受信部１４、発信部１５、記憶部１６および主制御部１７を備えている。表示部１１は、光学エンジンおよびスクリーンパネル等（図示せず）を備え、表示制御部１３から出力された画像信号Ｓ９ａに基づくコンピュータ画像や画像信号Ｓ９ｂに基づくテレビ画像などの各種画像を表示する。具体的には、表示部１１は、画像信号Ｓ９ａ，Ｓ９ｂに基づいて光変調した投射光をスクリーンパネルに背面側から投射することで各種画像をスクリーンパネルに表示する。この場合、上記の光学エンジンは、例えば、光源と、光変調素子（一例として、デジタルマイクロミラーデバイスや液晶ライトバルブ）と、投射レンズ（いずれも図示せず）とを備えて構成されている。
【００２３】
チューナ１２は、一例として、地上アナログ放送、地上デジタル放送、ＣＳ放送およびＢＳ放送などの各種放送波を受信して画像信号Ｓ９ｂを生成して表示制御部１３に出力する。表示制御部１３は、主制御部１７と相俟って本発明における制御部を構成し、後述するようにパソコン４の表示制御部３１から出力された画像信号Ｓ９ａや、チューナ１２から出力された画像信号Ｓ９ｂを表示部１１に出力してパソコン画像やテレビ画像などの各種画像を表示させる。受信部１４は、リモコン２から出力される赤外線信号Ｓ３を受信して操作信号Ｓ４に変換して主制御部１７に出力する。発信部１５は、主制御部１７から出力される制御信号Ｓ６を赤外線信号Ｓ７に変換して出力する。記憶部１６は、受信部１４から出力される操作信号Ｓ４に対応する操作内容を特定可能なコード変換テーブルＤｔ、パソコン４を起動させる際に必要となるログオン情報Ｄｐ、および主制御部１７の動作プログラムなどを記憶する。
【００２４】
主制御部１７は、前述したように表示制御部１３と相俟って本発明における制御部を構成し、テレビ１を総括的に制御する。具体的には、主制御部１７は、リモコン２からの赤外線信号Ｓ３の出力に伴って受信部１４から操作信号Ｓ４が出力されたときに、図３に示す操作制御処理５０を開始して、予め規定された手順に従い、本体部１ａ内の各部の動作を制御する。より具体的には、主制御部１７は、操作制御処理５０において、記憶部１６に記憶されているコード変換テーブルＤｔに基づき、受信部１４から出力された操作信号Ｓ４が本体部１ａを操作する操作信号Ｓ４と、パソコン４を操作する操作信号Ｓ４とのいずれであるかを判別する。
【００２５】
また、主制御部１７は、本体部１ａを操作する操作信号Ｓ４が出力されたときに、例えば、表示制御部１３に制御信号Ｓ５を出力して前述したテレビ画像やコンピュータ画像等、およびテレビ１の動作条件を設定するための動作条件設定画面（一例として、図２に示すログオン情報設定用画面４１）などを表示部１１に表示させる。さらに、主制御部１７は、パソコン４を操作する操作信号Ｓ４が受信部１４から出力されたときに、出力された操作信号Ｓ４をパソコン４用の制御信号Ｓ６に変換して発信部１５に出力する。なお、このテレビ１では、本体部１ａにおける表示制御部１３、受信部１４、発信部１５、記憶部１６および主制御部１７によって本発明に係る表示制御装置が構成されている。また、この主制御部１７および受信部１４は、本体部１ａが停止している状態（主電源スイッチのみが投入されて待機状態に移行している状態）において、リモコン２からの赤外線信号Ｓ３の出力を常時監視するように構成されている。
【００２６】
リモコン２は、テレビ１専用の遠隔制御装置（本発明における操作部の一例）であって、操作部２１、発信部２２および制御部２３を備えて構成されている。操作部２１は、本体部１ａを起動または停止させるテレビ用電源スイッチ、パソコン４を起動または停止させるパソコン用電源スイッチ、チャンネルアップスイッチ、チャンネルダウンスイッチ、ボリュームアップスイッチ、ボリュームダウンスイッチ、カーソルスイッチ、メニュースイッチ、決定スイッチおよびキャンセルスイッチなどの各種操作スイッチ（図示せず）を備え、操作されたスイッチに対応する操作信号Ｓ１を出力する。発信部２２は、上記の各操作スイッチの操作に伴って制御部２３から出力される操作信号Ｓ２を赤外線信号Ｓ３に変換して出力する。制御部２３は、操作部２１から出力された操作信号Ｓ１に応じて操作内容を特定可能な操作信号Ｓ２を生成して発信部２２に出力する。
【００２７】
受信装置３は、テレビ１の付属品であって、本体部１ａの発信部１５から出力された赤外線信号Ｓ７を受信して制御信号Ｓ８に変換して出力する受信部３ａを備えている。また、受信装置３は、一例として、パソコン４のＵＳＢポートに接続可能に構成されており、前述した本体部１ａにおける発信部１５、記憶部１６および主制御部１７と相俟って、いわゆるキーボードエミュレーション機能を実現する。具体的には、受信部３ａが出力する制御信号Ｓ８は、パソコン４を含む一般的なパソコン用のキーボードの操作時に出力されるキー操作信号と同種の操作信号であって、受信部３ａから出力される制御信号Ｓ８によってパソコン４の動作を制御することが可能となっている。
【００２８】
次に、テレビ１の全体的な動作について、図面を参照して説明する。このテレビ１によってパソコン４を操作する際には、まず、テレビ１の動作条件を設定する動作条件設定画面を表示部１１に表示させてパソコン４の操作に必要な各種の情報を設定する。具体的には、リモコン２のメニュースイッチ、カーソルスイッチおよび決定スイッチを順次操作することにより、動作条件設定画面（図示せず）を表示部１１に表示させる。この際には、リモコン２の操作に伴って受信部１４から出力された操作信号Ｓ４に従い、主制御部１７が表示制御部１３を制御して、まず、設定画面用パスワードを入力するためのパスワード入力画面（図示せず）を表示部１１に表示させる。なお、実際には、受信部１４から操作信号Ｓ４が出力されたときには、前述したように、主制御部１７によって操作制御処理５０が実行されるが、この操作制御処理５０については、後に詳細に説明する。
【００２９】
この際に、予め登録されているパスワードが入力されたときには、主制御部１７は、表示制御部１３を制御して、パスワード入力画面に代えて動作条件設定画面を表示部１１に表示させる。これにより、設定画面用パスワードを知らない者によってテレビ１の動作条件が視認されたり変更されたりする事態が回避される。次いで、リモコン２のカーソルスイッチ等を操作して、所定のメニュー項目を選択することにより、図２に示すログオン情報設定用画面４１を表示部１１に表示させる。このログオン情報設定用画面４１は、本発明における設定画面の一例であって、ユーザー名入力部４２ａ、パスワード入力部４２ｂ、登録ボタン４３およびキャンセルボタン４４が表示されている。
【００３０】
続いて、パソコン４の起動時（オペレーティングシステムのログオン時）にパソコン４に入力すべきユーザー名およびパスワード（パソコン４に向けて出力すべきユーザー名情報およびパスワード情報）をユーザー名入力部４２ａおよびパスワード入力部４２ｂに入力した後に、登録ボタン４３を操作する。この際に、主制御部１７は、ユーザー名入力部４２ａに入力されているユーザ名、およびパスワード入力部４２ｂに入力されているパスワードに基づいてログオン情報Ｄｐ（本発明における「ユーザー名情報」および「パスワード情報」）を生成して記憶部１６に記憶させる。これにより、テレビ１によるパソコン４の操作についての事前準備（初期設定）が完了する。
【００３１】
一方、本体部１ａおよびパソコン４の双方が停止している状態（本体部１ａの主電源スイッチのみが投入されて本体部１ａが待機状態に移行し、かつ、パソコン４がシャットダウンされた状態またはハイバーネート状態となっている状態）において、本体部１ａの表示部１１にテレビ画像を表示させる際には、リモコン２におけるテレビ用電源スイッチを操作する。この際には、テレビ用電源スイッチの操作に伴ってリモコン２から赤外線信号Ｓ３が出力され、この赤外線信号Ｓ３を受信した受信部１４からテレビ用電源スイッチの操作に対応する操作信号Ｓ４が主制御部１７に出力される。これに応じて、主制御部１７は、図３に示す操作制御処理５０を開始する。
【００３２】
この操作制御処理５０では、まず、主制御部１７は、記憶部１６に記憶されているコード変換テーブルＤｔに基づき、受信部１４から出力された操作信号Ｓ４がパソコン４を操作するための信号であるか否かを判別する（ステップ５１）。この際に、主制御部１７は、パソコン４を操作するための信号ではない（本体部１ａを操作するための信号である）と判別し、コード変換テーブルＤｔに基づき、その操作内容（信号種別）を特定する（ステップ５２）。この際には、テレビ用電源スイッチが操作されたと判別し、主制御部１７は、図示しない電源部に制御信号Ｓ５を出力して（ステップ５３）、本体部１ａの各部に対して電源を供給させる。これにより、本体部１ａの起動が完了する。
【００３３】
また、主制御部１７は、表示制御部１３に制御信号Ｓ５を出力してチューナ１２から出力された画像信号Ｓ９ｂに基づくテレビ画像を表示部１１に表示させる。この後、主制御部１７は、リモコン２のチャンネルアップスイッチ、チャンネルダウンスイッチ、ボリュームアップスイッチおよびボリュームダウンスイッチ等が操作される都度、操作制御処理５０を開始して、その操作内容を特定して（ステップ５２）、操作内容に応じた制御信号Ｓ５を本体部１ａの各部に出力する（ステップ５３）。また、テレビ用電源スイッチが再び操作されて対応する操作信号Ｓ４が受信部１４から出力されたときには、主制御部１７は、電源部に制御信号Ｓ５を出力して（ステップ５３）、電源の供給を停止させた後に、本体部１ａを待機モードに移行させる。
【００３４】
また、本体部１ａおよびパソコン４の双方が停止している状態において、例えば、パソコン４によってインターネット放送局から番組（画像データ）をダウンロードして本体部１ａの表示部１１に表示させる際には、リモコン２におけるパソコン用電源スイッチを操作する。この際には、パソコン用電源スイッチの操作に伴ってリモコン２から赤外線信号Ｓ３（本発明における「起動操作信号」の一例）が出力され、この赤外線信号Ｓ３を受信した受信部１４からパソコン用電源スイッチの操作に対応する操作信号Ｓ４が主制御部１７に出力される。これに応じて、主制御部１７は、操作制御処理５０を開始する。
【００３５】
この操作制御処理５０では、主制御部１７は、コード変換テーブルＤｔに基づき、受信部１４から出力された操作信号Ｓ４がパソコン４を操作するための信号であるか否かを判別する（ステップ５１）。この際に、主制御部１７は、パソコン４を操作するための信号であると判別し、コード変換テーブルＤｔに基づき、その操作内容（信号種別）を特定する（ステップ５４）。次いで、主制御部１７は、特定した内容に基づき、その操作信号Ｓ４がパソコン用電源スイッチの操作に対応する信号であると判別し（ステップ５５）、本体部１ａが既に起動しているか否かを判別する（ステップ５６）。この際に、本体部１ａが待機状態である（起動が完了していない）と判別したときには、主制御部１７は、電源部に制御信号Ｓ５を出力し（ステップ５７）、本体部１ａの各部に対して電源を供給させる。これにより、本体部１ａの起動が完了する。
【００３６】
次いで、主制御部１７は、パソコン４の電源投入を指示する制御信号Ｓ６を発信部１５に出力することにより、発信部１５から赤外線信号Ｓ７を出力させる（ステップ５８）。この際に、受信装置３の受信部３ａによって赤外線信号Ｓ７が受信され、パソコン４等のコンピュータ用のキーボードにおける電源スイッチの操作時にキーボードから出力されるキー操作信号と同種の制御信号Ｓ８（本発明における「起動制御信号」の一例）が受信部３ａからパソコン４に出力される。これに応じて、パソコン４の主制御部３２が図示しない電源部を制御してパソコン４の各部に対して電源を供給させる。これにより、パソコン４の起動処理（ブート処理、または、ハイバーネートからの復帰処理）が開始される。
【００３７】
また、主制御部１７は、コンピュータ画像の表示画面に切り替えられているか否かを判別し（ステップ５９）、例えば、テレビ画像の表示画面であると判別したとき(コンピュータ画像の表示画面ではないと判別したとき)には、表示制御部１３に制御信号Ｓ５を出力してコンピュータ画像の表示画面に切り替え処理させる（入力ソースの切り替え処理：ステップ６０）。次いで、主制御部１７は、記憶部１６にログオン情報Ｄｐが存在するか否か（パソコン４の起動時にユーザー名情報およびパスワード情報を出力する必要があるか否か）を判別する（ステップ６１）。この際には、前述したように、ログオン情報Ｄｐが記憶部１６に記憶されているため、主制御部１７は、パソコン４に向けてログオン情報Ｄｐを出力する（ステップ６２）。
【００３８】
この際に、このテレビ１では、パソコン４に対するログオン情報Ｄｐを出力するときに、パソコン４用のキーボードの操作によってユーザー名およびパスワードを入力操作した際にキーボードから順次出力されるキー操作信号と同種の制御信号Ｓ８を受信装置３から出力させるように、主制御部１７が発信部１５に制御信号Ｓ６を出力する。具体的には、例えば、ログオン情報Ｄｐにおけるユーザー名情報として「ＡＢＣ」の文字列が設定されると共にパスワードとして「ＤＥＦ」の文字列が設定されているときには、主制御部１７は、パソコン４用のキーボードにおける「Ａ」、「Ｂ」、「Ｃ」、「Ｔａｂ」、「Ｄ」、「Ｅ」、「Ｆ」および「Ｅｎｔｅｒ」の各キーが順次操作されたときと同様にして８つの制御信号Ｓ８が受信装置３からパソコン４に向けて出力されるように８つの制御信号Ｓ６を発信部１５に向けて順次出力する（キーボードエミュレーション機能）。これにより、パソコン４のログオン画面にユーザー名およびパスワードが入力される結果、パソコン４の起動が完了して、パソコン４の表示制御部３１から出力された画像信号Ｓ９ａに基づくコンピュータ画像が本体部１ａの表示部１１に表示される。
【００３９】
この後、リモコン２のカーソルスイッチ、決定スイッチおよびキャンセルスイッチなどの各種操作スイッチを操作することによってパソコン４を操作する。具体的には、表示部１１に表示されているコンピュータ画像を参照しつつ、リモコン２の操作スイッチを操作して画面上のポインタを移動させて、例えば、所望のインターネット放送局にアクセスし、所望の番組を再生（ダウンロードして再生）する。より具体的には、例えばカーソルスイッチの操作に伴ってリモコン２から赤外線信号Ｓ３が出力されて、対応する操作信号Ｓ４が受信部１４から出力されたときに、主制御部１７は、操作制御処理５０を開始して、パソコン４用の操作信号が出力されたと判別し（ステップ５１）、その信号種別（操作内容）を特定する（ステップ５４）。
【００４０】
この際には、カーソルスイッチが操作されたと判別し（ステップ５５）、パソコン４用のキーボードにおけるカーソルキーが操作された際に出力されるキー操作信号と同種の制御信号Ｓ８が受信装置３から出力されるように、対応する制御信号Ｓ６を発信部１５に出力する（ステップ６３）。これにより、パソコン４の主制御部３２が表示制御部３１を制御してコンピュータ画面上のポインタを移動させた状態の画像信号Ｓ９ａを出力させて、表示部１１に表示されているコンピュータ画面において、ポインタが移動させられる。同様にして、主制御部１７は、リモコン２における決定スイッチの操作時には、パソコン４用のキーボードにおける「Ｅｎｔｅｒ」キーが操作された際に出力されるキー操作信号と同種の制御信号Ｓ８が受信装置３から出力されるように、対応する制御信号Ｓ６を発信部１５に出力する（ステップ６３）。これにより、インターネット放送局において配信されている所定の放送番組が表示部１１に表示される。
【００４１】
また、放送番組の視聴を終了する際には、リモコン２のパソコン用電源スイッチを操作する。この際には、パソコン用電源スイッチの操作に伴ってリモコン２から赤外線信号Ｓ３（本発明における「停止操作信号」の一例）が出力され、この赤外線信号Ｓ３を受信した受信部１４からパソコン用電源スイッチの操作に対応する操作信号Ｓ４が主制御部１７に出力される。これに応じて、主制御部１７は、操作制御処理５０を開始する。
【００４２】
この操作制御処理５０では、主制御部１７は、コード変換テーブルＤｔに基づき、受信部１４から出力された操作信号Ｓ４がパソコン４を操作するための信号であるか否かを判別する（ステップ５１）。この際に、主制御部１７は、パソコン４を操作するための信号であると判別し、コード変換テーブルＤｔに基づき、その操作内容（信号種別）を特定する（ステップ５４）。次いで、主制御部１７は、特定した内容に基づき、その操作信号Ｓ４がパソコン用電源スイッチの操作に対応する信号であると判別し（ステップ５５）、本体部１ａが既に起動しているか否かを判別する（ステップ５６）。この際に、本体部１ａが起動していると判別した主制御部１７は、パソコン４の電源投入を指示する制御信号Ｓ６を発信部１５に出力することにより、発信部１５から赤外線信号Ｓ７を出力させる（ステップ５８）。
【００４３】
この際に、受信装置３の受信部３ａによって赤外線信号Ｓ７が受信され、パソコン４等のコンピュータ用のキーボードにおける電源スイッチの操作時にキーボードから出力されるキー操作信号と同種の制御信号Ｓ８（本発明における「停止制御信号」の一例）が受信部３ａからパソコン４に出力される。これに応じて、パソコン４の主制御部３２が例えばハイバーネート状態に移行する処理を開始し、電源遮断準備が整った時点で、図示しない電源部を制御してパソコン４の各部に対する電源の供給を停止させる。これにより、パソコン４の停止処理（この例では、ハイバーネート状態への移行処理）が完了する。また、主制御部１７は、パソコン４に対する赤外線信号Ｓ３の出力に続き、表示制御部１３を制御して、チューナ１２からの画像信号Ｓ９ｂに基づくテレビ画像の表示画面に切り替え表示させる。これにより、コンピュータ画像に代えてテレビ画像が表示部１１に表示される。
【００４４】
このように、このテレビ１およびテレビ１によるパーソナルコンピュータ４の制御方法によれば、外部装置としてのパーソナルコンピュータ４を起動させる起動操作信号（この例では、パソコン電源スイッチの操作に伴う赤外線信号Ｓ３）がリモコン２から出力されたときに主制御部１７がパーソナルコンピュータ４に向けて起動制御信号（制御信号Ｓ６）を出力すると共にパーソナルコンピュータ４を停止させる停止操作信号（この例では、パソコン電源スイッチの操作に伴う赤外線信号Ｓ３）がリモコン２から出力されたときに主制御部１７がパーソナルコンピュータ４に向けて停止制御信号（制御信号Ｓ６）を出力することにより、リモコン２におけるコンピュータ電源スイッチの操作によってパーソナルコンピュータ４を確実かつ容易に起動または停止させることができると共に、例えば、テレビ１に接続されたディスクプレーヤの付属品であるリモコンを操作してテレビ１を起動させたときには、パーソナルコンピュータ４を起動させることなく、テレビ１のみを起動させることができる。したがって、利用者の意図に反してパーソナルコンピュータ４が起動または停止する事態を招くことなく、テレビ１やパーソナルコンピュータ４を使用することができる。
【００４５】
また、このテレビ１によれば、パーソナルコンピュータ４用のキーボードから出力されるキー操作信号と同種の制御信号Ｓ８が受信装置３から出力されるように主制御部１７が本発明における起動制御信号および停止制御信号として制御信号Ｓ６を出力することにより、一般的なパーソナルコンピュータが備えているキーボード接続端子（この例では、ＵＳＢポート）からパーソナルコンピュータ制御信号を入力することができるため、市場に流通する汎用のパーソナルコンピュータについても、電源操作用の特殊なデバイスを追加することなく、テレビ１のリモコン２によって操作することができる。
【００４６】
さらに、このテレビ１によれば、リモコン２から起動操作信号（赤外線信号Ｓ３）が出力されたときに主制御部１７が表示制御部１３を制御してパーソナルコンピュータ４から出力された画像信号Ｓ９ａに基づく画像（コンピュータ画像）を表示部１１に表示させることにより、表示画面の切り替え操作を行うことなく、リモコン２のパソコン電源スイッチを操作するだけでコンピュータ画像を表示部１１に表示させることができる。したがって、表示画面の切り替え操作が不要となる分だけ、従来のパソコンシステムと比較してパーソナルコンピュータ４に対する電源オンオフ時における一連の制御を容易に行うことができる。
【００４７】
また、このテレビ１によれば、リモコン２から起動操作信号が出力されたときに主制御部１７が起動制御信号の出力に続いて記憶部１６から読み出したユーザー名情報およびパスワード情報（この例では、ログオン情報Ｄｐ）をパーソナルコンピュータ４に向けて出力することにより、リモコン２とは別個にキーボードを操作してログオン情報（ユーザー名およびパスワード）を入力することなく、パーソナルコンピュータ４を容易に起動させることができる。
【００４８】
さらに、このテレビ１によれば、設定画面表示操作信号（この例では、メニュースイッチ、カーソルスイッチおよび決定スイッチの各操作スイッチの操作に伴って出力される赤外線信号Ｓ３）がリモコン２から出力されたときに主制御部１７が表示制御部１３を制御して設定画面用パスワードの入力画面を表示部１１に表示させると共に、予め規定された設定画面用パスワードが入力されたときに表示制御部１３を制御して入力画面に代えてログオン情報設定用画面４１を表示部１１に表示させ、リモコン２のスイッチ操作によってログオン情報設定用画面４１（ユーザー名入力部４２ａおよびパスワード入力部４２ｂ）に入力されたユーザー名およびパスワードに基づいてログオン情報Ｄｐを生成して記憶部１６に記憶させることにより、設定画面用パスワードを知らない第三者が動作条件設定用の画面を開くことができないため、設定画面用パスワードを知らない第三者によってログオン情報（パーソナルコンピュータ４を起動させるためのユーザー名およびパスワード）が他の情報に書き換えられたり盗用されたりする事態を回避することができる。
【００４９】
また、このテレビ１によれば、表示制御装置の本体部（本体部１ａ）とは別体に構成された遠隔操作装置（リモートコントローラ２）で本発明における操作部を構成したことにより、テレビ１やパーソナルコンピュータ４から遠く離れてパーソナルコンピュータ４を操作することができる。
【００５０】
なお、本発明は、上記の構成に限定されない。例えば、上記のテレビ１では、パーソナルコンピュータ４のＵＳＢポートに接続可能な受信装置３を備えて本体部１ａと受信装置３との間において本体部１ａから受信装置３に赤外線信号Ｓ７を送信する構成を採用しているが、赤外線信号Ｓ７に代えて電波信号を送信する構成や、受信装置３に代えてパーソナルコンピュータ４に装備された受信装置に赤外線信号Ｓ７を受信させる構成を採用することができる。また、本体部１ａとパーソナルコンピュータ４とをシリアルケーブル（一例として、ＲＳ−２３２ＣケーブルやＵＳＢケーブル）、パラレルケーブルおよびＬＡＮケーブル等の各種通信ケーブルで相互に接続して、制御信号Ｓ６や赤外線信号Ｓ７に代えて主制御部１７からパーソナルコンピュータ４に制御信号Ｓ８を直接送信する構成を採用することもできる。また、ＵＳＢポートに接続する上記のテレビ１の構成に代えて、パーソナルコンピュータ４のＰＳ／２ポートに対して、本体部１ａを直接接続する構成、または、受信装置３等を介して接続する構成を構成を採用することもできる。
【００５１】
さらに、リアプロジェクション型の表示部１１を備えたテレビ１について上記したが、本発明における表示部は、液晶表示器、プラズマ表示器および有機ＥＬ表示器等の各種表示器で構成することができる。また、本発明に係る表示制御装置と表示部１１およびチューナ１２とを一体に構成したテレビ１について説明したが、本発明はこれに限定されず、本発明に係る表示制御装置と表示部１１とが一体に構成されてチューナ１２が別体に構成された表示装置や、本発明に係る表示制御装置とチューナ１２とが一体に構成されて外部装置としての表示部に画像を表示させる表示制御装置（例えば、各種レコーダ、プレーヤ、デコーダおよびチューナ等の視聴覚機器）などに本発明を適用することができる。
【００５２】
また、本体部１ａを起動または停止させるテレビ用電源スイッチと、パーソナルコンピュータ４を起動または停止させるパソコン用電源スイッチとを別個にリモコン２の操作部２１に配設した例について説明したが、例えば、単一の電源スイッチとファンクションスイッチとを操作部２１に配設し、電源スイッチを単体で操作したときには、本体部１ａを起動または停止させ、ファンクションスイッチと電源スイッチとを同時（または順次）操作したときには、パーソナルコンピュータ４を起動または停止させる構成を採用することもできる。さらに、本発明における操作部は、上記のリモコン２のように本体部１ａとは別体に構成されたものに限定されず、本体部１ａに配設した各種操作スイッチで構成することもできる。
【００５３】
加えて、パソコン４からの画像信号Ｓ９ａに基づくコンピュータ画像を表示部１１に表示させる際にテレビ１用のリモコン２を操作してパソコン４を起動させる例について説明したが、本発明はこれに限定されない。例えば、パソコン４内のハードディスクドライブに記憶されている動画ファイルを主制御部１７が読み出して表示部１３に再生させる際に、テレビ１用のリモコン２を操作してパソコン４を起動させる構成を採用することもできる。また、本発明における表示制御装置を各種のレコーダに搭載した場合には、レコーダによって生成される動画ファイルをパソコン４内のハードディスクドライブに記憶させる際に、テレビ１用のリモコン２を操作してパソコン４を起動させる構成を採用することができる。これらの構成を採用した場合においても、上記のテレビ１と同様にして、利用者の意図に反してパーソナルコンピュータ４が起動または停止する事態を招くことなく、表示制御装置およびパーソナルコンピュータ４を使用することができる。
【図面の簡単な説明】
【００５４】
【図１】テレビ１およびパーソナルコンピュータ４の構成を示すブロック図である。
【図２】ログオン情報設定用画面４１の表示画面図である。
【図３】操作制御処理５０のフローチャートである。
【符号の説明】
【００５５】
１  テレビ、１ａ  本体部、２  リモコン、３  受信装置、３ａ，１４  受信部、４  パーソナルコンピュータ、１１  表示部、１２  チューナ、１３  表示制御部、１５，２２  発信部、１６  記憶部、１７  主制御部、２１  操作部、２３  制御部、３１  表示制御部、３２  主制御部、４１  ログオン情報設定用画面、５０  操作制御処理、Ｄｐ  ログオン情報、Ｄｔ  コード変換テーブル、Ｓ１，Ｓ２，Ｓ６，  操作信号、Ｓ３，Ｓ７  赤外線信号、Ｓ４，Ｓ５，Ｓ８  制御信号、Ｓ９ａ，Ｓ９ｂ  画像信号
【図１】
2008065218.tif 000003
【図２】
2008065218.tif 000004
【図３】
2008065218.tif 000005